(57)【特許請求の範囲】
【請求項１】
クリック用押圧部を設けたスライド部材と、前記スライド部材をスライド自在にガイドするガイド部材と、前記スライド部材を前記クリック用押圧部を設けた方向に向かって付勢する弾発手段と、前記ガイド部材に対して前記スライド部材をその弾発方向に向けて抜けないように係止する抜け防止機構とを有するクリック弾発ユニットを具備し、
前記クリック弾発ユニットに対して相対的に移動する移動部材に設けた押圧部によって前記スライド部材のクリック用押圧部を押圧・押圧解除することでクリック感覚を生じさせることを特徴とするクリック機構。
【請求項２】
前記抜け防止機構は、前記スライド部材に設けた弾性変形するアーム部の係止部をガイド部材に設けた係合部に係合することで構成されるか、或いは前記ガイド部材に設けた弾性変形するアーム部の係止部をスライド部材に設けた係合部に係合することで構成されていることを特徴とする請求項１記載のクリック機構。
【請求項３】
前記移動部材は電子部品用の回転体であり、その押圧部は回転体の外周側面に設けられ、
一方前記クリック弾発ユニットは前記クリック用押圧部が前記回転体の外周側面に対向するように固定側の部材に取り付けられていることを特徴とする請求項１又は２記載のクリック機構。
【発明の詳細な説明】
【０００１】
【発明の属する技術分野】
本発明は、回転式電子部品等の各種電子部品に用いて好適なクリック機構に関するものである。
【０００２】
【従来の技術】
従来、回転式電子部品やスライド式電子部品の中には、つまみ等の移動体を移動する際にクリック感覚を生じさせる構造のものがある。ここで図１０，図１１はこの種の従来のクリック機構の基本構成を示す概略図である。即ち図１０に示すクリック機構は、固定側の部材に固定されるクリック板８１と、外周側面に押圧部８９を設けた回転部材８７とによって構成されている。ここでクリック板８１はその基部８３が図示しない固定側部材（例えばケース）に固定されており、その所定位置に板バネ製の弾発板部８５を設け、その中央に弾発部８６を設けている。一方回転部材８７は例えば図示しない摺動子を取り付けた回転型物である。そして回転部材８７を回転して押圧部８９が弾発部８６を乗り越える際に、回転部材８７の回転にクリック感覚を生じる。
【０００３】
一方図１１に示すクリック機構は、一端にクリック用ボール９３を取り付けると共に他端を固定側の部材に固定する弾発用のコイルバネ９１と、外周側面に押圧部９７を設けた回転部材９５とによって構成されている。そして回転部材９５を回転して押圧部９７がクリック用ボール９３に当接してこれを乗り越える際に、回転部材９５の回転にクリック感覚を生じる。
【０００４】
しかしながら図１０に示す板バネを用いたクリック機構においては、クリック機構の小型化を図るために弾発板部８５の長さと幅を小さくすると、良好なクリック感覚が得られなくなってしまうという問題点があった。即ち上記構造のクリック機構の場合、クリック感覚の調整はクリック板８１の板厚を調整することで行なう必要があるが、弾発板部８５の長さと幅が小さいと、クリック板８１の板厚の調整でクリック感覚の微妙な調整をすることは困難で、比較的弱いクリック感覚を得るためにクリック板８１の厚みを少し薄くしただけでもクリック感覚が弱くなりすぎ、一方比較的強いクリック感覚を得るためにクリック板８１の厚みを少し厚くしただけでもクリック感覚が強くなりすぎてしまう。
【０００５】
一方図１１に示すクリック機構においては、コイルバネ９１を用いているので、小型化してもクリック感覚の微妙な調整は容易に行なえ、好適である。しかしながらコイルバネ９１とクリック用ボール９３は別部品であり、しかもコイルバネ９１は機器内に圧縮しながら組み込む必要があるので、機器の組立中にコイルバネ９１が飛び出すなど、その組み立てが困難であった。クリック機構が小型化するとなおさらである。
【０００６】
【発明が解決しようとする課題】
本発明は上述の点に鑑みてなされたものでありその目的は、たとえ小型・薄型化しても良好なクリック感覚が得られると共に組み立ても容易に行なえるクリック機構を提供することにある。
【０００７】
【課題を解決するための手段】
上記問題点を解決するため本発明にかかるクリック機構は、クリック用押圧部を設けたスライド部材と、前記スライド部材をスライド自在にガイドするガイド部材と、前記スライド部材を前記クリック用押圧部を設けた方向に向かって付勢する弾発手段と、前記ガイド部材に対して前記スライド部材をその弾発方向に向けて抜けないように係止する抜け防止機構とを有するクリック弾発ユニットを具備し、前記クリック弾発ユニットに対して相対的に移動する移動部材に設けた押圧部によって前記スライド部材のクリック用押圧部を押圧・押圧解除することでクリック感覚を生じさせることを特徴とする。
【０００８】
また本発明は、前記抜け防止機構が、前記スライド部材に設けた弾性変形するアーム部の係止部をガイド部材に設けた係合部に係合することで構成されるか、或いは前記ガイド部材に設けた弾性変形するアーム部の係止部をスライド部材に設けた係合部に係合することで構成されていることを特徴とする。
【０００９】
また本発明は、前記移動部材が電子部品用の回転体であり、その押圧部が回転体の外周側面に設けられ、一方前記クリック弾発ユニットは前記クリック用押圧部が前記回転体の外周側面に対向するように固定側の部材に取り付けられていることを特徴とする。
【００１０】
【発明の実施の形態】
以下、本発明の実施の形態を図面を参照して詳細に説明する。
図１乃至図３は本発明にかかるクリック機構を用いた回転式電子部品１の分解斜視図であり、３つの図面で１つの回転式電子部品１を構成している。これらの図に示すように回転式電子部品１は、基台１０と、基板２０と、可動接点部材３０と、クリック弾発ユニット４０を取り付けた第二ケース３５と、摺動子２００を取り付けた第二回転型物５０と、摺動子２１０とロック用部材２３０とクリック弾接部材２５０とを取り付けた第一回転型物７０と、クリック係合部材２６０を取り付けた第一ケース１１０と、キートップ１２０と、第一回転つまみ１３０とを具備して構成されている。以下各構成部品について説明する。
【００１１】
基台１０は金属板製であり、その周囲５箇所に取付孔１１が設けられ、また前記ロック用部材２３０に対向する位置には円弧状のガイド孔１３が設けられ、さらに下記する第二ケース３５のクリック弾発ユニット収納部４１に対向する位置には突出部１５を設けて構成されている。
【００１２】
基板２０は可撓性を有する合成樹脂フイルム上に押圧用のスイッチパターン２１と、第一，第二の回転用の摺接パターン（スイッチパターン）２３，２５と、前記基台１０の４つの取付孔１１に対向する位置に設けられる取付孔２７と、前記基台１０の突出部１５に対向する位置に設けられる突出部２９とを具備して構成されている。突出部２９からは引き出し部３１が引き出されている。なお図示はしないが各パターン２１，２３，２５からは引き出しパターンが引出部３１に向けて引き出されている。
【００１３】
可動接点部材３０は弾性ゴムを略円錐台形状であって下面側に凹部３１を設けた形状に形成されており、図７に示すようにその中央の押圧部３３の下面に導電層３４を取り付けて構成されている。
【００１４】
第二ケース３５は合成樹脂を略枠状に成形し、その外形形状を前記基板２０の外形形状と略同じに形成しており、これによってその中央にスイッチ機構収納部３７を形成している。そして前記基板２０の各取付孔２７に対向する位置には上下方向に貫通する取付孔３９が設けられ、さらにその外周からはクリック弾発ユニット収納部４１が突出している。
【００１５】
ここで図４は第二ケース３５を裏面側から見た斜視図である。なお同図においてクリック弾発ユニット４０は分解して示している。同図に示すようにクリック弾発ユニット収納部４１の下面は凹状の収納部４３となっており、その内部にはガイド部材４５と、バネ受け部４７とが一体に成形されている。ガイド部材４５はコ字状であってその内部に下記するスライド部材４９を収納する穴からなるスライド部材挿通部４５１を設けている。バネ受け部４７は板状であって、ガイド部材４５のスライド部材挿通部４５１の一方の開口に対向する位置に立設して設けられ、スライド部材挿通部４５１に対向する面４７１をバネ受面とし、バネ受面４７１中にスリットからなるガイド部材挿通部４７３を設けて構成されている。ガイド部材挿通部４７３の幅は、下記するスライド部材４９のガイド突起４９７の外径より大きく、またコイルバネからなる弾発手段４６の径より小さい寸法に構成されている。
【００１６】
スライド部材４９はモールド樹脂製であり、基部４９１の中央から突起状のクリック用押圧部４９３を突出し、また基部４９１の両端からクリック用押圧部４９３と逆方向に向けて同一寸法形状のアーム部４９５，４９５を突出し、さらに基部４９１の中央からアーム部４９５と同一方向に向けて棒状のガイド突起４９７を突出して構成されている。両アーム部４９５，４９５の先端にはそれぞれ外方向を向く爪状の係止部４９６，４９６が設けられている。
【００１７】
そしてこのクリック弾発ユニット４０の組み立ては、スライド部材４９のガイド突起４９７に弾発手段４６を挿入した上でスライド部材４９の両アーム部４９５，４９５をその係止部４９６，４９６側からスライド部材挿通部４５１内に挿入する。このとき係止部４９６，４９６はスライド部材挿通部４５１の両内側面に弾接し、両アーム部４９５，４９５は内側に湾曲する。そしてさらにスライド部材４９を挿入して行けば、係止部４９６，４９６がスライド部材挿通部４５１を貫通してガイド部材４５の端辺（係合部）４５８に係合する。この係止部４９６と係合部４５８とによって抜け防止機構が構成される。このときガイド突起４９７はその先端がガイド部材挿通部４７３内に挿入され、弾発手段４６はバネ受面４７１上に弾接して少し圧縮され、スライド部材４９をクリック用押圧部４９３が突出している方向に向けて弾発する（図９（ａ）参照）。これによってガイド部材４５に対してスライド部材４９はその弾発方向に向けて抜けない状態でスライド自在にガイドされ保持される。
【００１８】
次に図５は第二回転型物５０と第一回転型物７０を下側から見た斜視図である。同図及び図２に示すように第二回転型物５０は合成樹脂成形品であり、略リング状に形成してなる本体部５１の外周からアーム状の引出部５３を突出し、引出部５３の先端に操作部５５を設けて構成されている。本体部５１の中央には下記する第一ケース１１０の収納部１１１を回動自在に挿入する孔５２が設けられている。また本体部５１の外周からは略板状に突出する突出部５７が設けられ、その下面には摺動子取付面５９が設けられている。摺動子取付面５９は本体部５１の他の部分よりも少し凹ませた凹部６１内に設けられており、摺動子取付面５９からは小突起状の取付部６３が突出している。この摺動子取付面５９には弾性金属板製の摺動子２００の平板状の基部２０１を当接して基部２０１に設けた取付孔２０３に前記取付部６３を挿入してその先端を熱カシメすることで固定される。基部２０１の先端からは二本の摺動冊子２０５が突出して折り曲げられており、その先端近傍には接点部２０７が設けられている。一方操作部５５の下面側の根元部分の外周側面には、クリック用押圧部当接面５６１が設けられ、その中央には突起状の押圧部５６が設けられている。
【００１９】
次に第一回転型物７０は図２及び図５に示すように合成樹脂成形品であり、略円板状に形成してなる本体部７１の外周からロック機構収納部７３を突出して構成されている。本体部７１の中央には下記する第一ケース１１０の収納部１１１を回動自在に挿入する孔７５（第二回転型物５０の孔５２と同一径）が設けられている。そして本体部７１の所定位置には２つの取付孔７７が設けられ、また本体部７１の上面所定位置からは２つの突起状の取付部７８が突出し、さらに本体部７１の下面には摺動子取付面７９が設けられている。摺動子取付面７９は本体部７１の下面よりも所定高さ突出する取付台８１上に設けられている。摺動子取付面７９からは小突起状の取付部８３が突出している。この摺動子取付面７９には弾性金属板製の摺動子２１０の平板状の基部２１１が当接されて基部２１１に設けた取付孔２１３に前記取付部８３を挿入してその先端を熱カシメすることで固定される。基部２１１の先端からは二本の摺動冊子２１５が突出されて折り曲げられており、その先端近傍には接点部２１７が設けられている。一方ロック機構収納部７３はその上面に略扇形状で凹状の収納部８５が設けられ、またその底面にはガイド孔８７が設けられている。
【００２０】
次にロック用部材２３０は合成樹脂成形品であり、略扇形状の基部２３１の上面から押圧部２３３を突出して構成されている。基部２３１は前記ロック機構収納部７３の収納部８５内に上下動自在に収納される形状に形成されており、その下面からはコイルバネ２４０に挿入される突起２３５を突出している。基部２３１は段部２３７，２３９を設けることで段部２３７，２３９の上側の部分を下側の部分よりも小さくしている。
【００２１】
次にクリック弾接部材２５０は弾性金属板を略リング状に形成して構成されており、前記第一回転型物７０の２つの取付孔７７と２つの取付部７８に対向する位置にそれぞれ取付孔７７と取付部７８と同一形状の孔２５１と孔２５２とを設け、また円弧状のアーム部２５３を上方向に少し折り曲げると共にアーム部２５３の中央に上方向に突出する弾接部２５５を設けて構成されている。
【００２２】
次に第一ケース１１０は合成樹脂成形品であり、前記第二ケース３５の上面に重なる形状に形成されている。第一ケース１１０の中央には筒状であってその内部に前記可動接点部材３０を収納する収納部１１１が設けられ、収納部１１１の外側には二本の円弧状の挿通孔１１３，１１３が設けられ、また前記第一の回転型物７０のロック機構収納部７３に対向する位置に円弧状であってロック用部材２３０の押圧部２３３を貫通すると共にその中間に基部２３１の段部２３７，２３９の上側部分を係合離脱する形状の係合部１１６を設けた貫通部１１５を設け、その外周下面の前記基台１０の各取付孔１１に対向する位置から固定部１１７を突出し、さらに第一ケース１１０の側面に前記第二回転型物５０の操作部５５を左右に所定寸法揺動可能に突出させる切欠き部１１９を設けて構成されている。
【００２３】
クリック係合部材２６０は金属板を略リング状に形成して構成されており、その中央には前記第一ケース１１０の下面から下方向に向かって突出する筒状の収納部１１１の外周に挿入される挿入部２６１が設けられている。挿入部２６１の内周辺からは３つの係合片２６３が突出している。一方クリック係合部材２６０の外周辺からは扇状の突出片２６５が突出しており、その中には前記クリック弾接部材２５０の弾接部２５５を係合・離脱させてクリック感覚を生じさせる３つの貫通孔からなるクリック係合部２６７が設けられている。
【００２４】
キートップ１２０は合成樹脂を略円板状に成形して構成されており、その外周からはつば部１２１を突出し、またその下面中央からは押圧部１２３を突出している。
【００２５】
第一回転つまみ１３０は合成樹脂を略板状に成形して構成されており、中央には前記キートップ１２０を貫通する挿通部１３１が設けられ、その所定位置には前記ロック用部材２３０の押圧部２３３を挿入する挿入部１３３が設けられ、その下面の前記挿通部１３１の両側部分からはその先端が前記クリック弾接部材２５０の孔２５１と第一回転型物７０の取付孔７７に挿入される二本の固定アーム１３５を突出している。
【００２６】
次にこの回転式電子部品の組立方法を説明する。まず第一回転つまみ１３０の下側からその挿通部１３１内にキートップ１２０を挿入する。次に第一回転つまみ１３０の下側に第一ケース１１０を設置してその際第一回転つまみ１３０の二本の固定アーム１３５を第一ケース１１０の挿通孔１１３，１１３に挿入し、同時にキートップ１２０の押圧部１２３を第一ケース１１０の収納部１１１内に挿入する。
【００２７】
次に第一ケース１１０の下面の収納部１１１の外周をクリック係合部材２６０の挿入部２６１に挿入して係合片２６３を係合させ、第一ケース１１０の下面にクリック係合部材２６０を接合する。
【００２８】
次に予め下面に摺動子２１０を固定した第一回転型物７０の上面にクリック弾接部材２５０を載置し、その際孔２５２を貫通した取付部７８の先端を熱カシメして固定し、さらに第一回転型物７０のロック機構収納部７３の収納部８５内にコイルバネ２４０とロック用部材２３０の基部２３１とを収納した状態のものを第一ケース１１０の下面側に配置する。その際第一ケース１１０の収納部１１１の外周を第一回転型物７０の孔７５に挿入して第一回転型物７０を回動自在に軸支すると同時に、第一回転つまみ１３０の固定アーム１３５の先端を第一回転型物７０の取付孔７７に挿入してその先端を熱カシメして固定する。
【００２９】
次に第一回転型物７０の下側に摺動子２００を取り付けた第二回転型物５０を配置することで第一ケース１１０の収納部１１１の外周を第二回転型物５０の孔５２に挿入して第二回転型物５０を回動自在に軸支する。
【００３０】
次に収納部１１１内に可動接点部材３０を挿入し、また第一ケース１１０の下側にクリック弾発ユニット４０を取り付けた第二ケース３５を配置し、さらにその下側に基板２０と基台１０とを配置する。その際第一ケース１１０の下面から突出する固定部１１７を第二ケース３５の取付孔３９と基板２０の取付孔２７と基台１０の取付孔１１に貫通し、基台１０の裏面側で熱カシメすることで一体化する。
【００３１】
図６は以上のようにして組み立てた回転式電子部品１の斜視図であり、また図７，図８はそれぞれ回転式電子部品１を別の断面で切断した概略側断面図である。図７，図８に示すようにキートップ１２０は可動接点部材３０によって第一回転つまみ１３０の挿通部１３１内に突入している。またロック用部材２３０の押圧部２３３は第一回転つまみ１３０の挿入部１３３内にコイルバネ２４０によって突入している。なお図７はロック用部材２３０の基部２３１の段部２３７，２３９の上側部分が第一ケース１１０の貫通部１１５の係合部１１６の部分に係合することで第一回転つまみ１３０がこの位置にロックされた状態を示している。さらにクリック弾発ユニット４０のクリック用押圧部４９３の先端は、第二回転型物５０のクリック用押圧部当接面５６１に当接している。
【００３２】
なお第一回転型物７０に取り付ける摺動子２１０と第二回転型物５０に取り付ける摺動子２００は同一高さに設置され、これによって同一平面にある一枚の基板２０の摺接パターン２３，２５にそれぞれ摺接するように構成されている。同時に摺動子２１０の回転円と摺動子２００の回転円とが、同一径の円となるように両摺動子２１０，２００の取付位置を設置し、回転式電子部品１の面積の小型化を図っている。
【００３３】
そしてキートップ１２０を押圧すればキートップ１２０と共に可動接点部材３０の押圧部３３が下降して導電層３４が基板２０の押圧用スイッチパターン２１に当接してこれをオンする。押圧を中止すれば可動接点部材３０の自動復帰力でキートップ１２０は元の位置に自動復帰する。
【００３４】
一方ロック用部材２３０の押圧部２３３を押圧して下降し、基部２３１の段部２３７，２３９の上側部分を第一ケース１１０の貫通部１１５の下側に移動させてロックを解除した状態で第一回転つまみ１３０を回転すると、これと一体に第一回転型物７０が回転し、これに固定した摺動子２１０が基板２０の摺接パターン２３上を摺動してこれをオンオフする。
【００３５】
次に第二回転型物５０の操作部５５を回転方向に揺動すると、第二回転型物５０に固定した摺動子２００が基板２０の摺接パターン２５上を摺動してこれをオンオフする。このとき図９（ａ），（ｂ）に示すように第二回転型物５０のクリック用押圧部当接面５６１に当接していたクリック弾発ユニット４０のクリック用押圧部４９３の先端が押圧部５６を乗り越え、その際クリック用押圧部４９３は弾発手段４６の弾発力に抗してガイド部材４５内に押し込められるので、その反力として第二回転型物５０の回転にクリック感覚が生じる。
【００３６】
なお操作部５５は第二ケース３５上（さらに詳細にはクリック弾発ユニット収納部４１上）にあるので、操作部５５に意に反する外力が加わりにくく、その破損が防止される。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００３８】
例えば上記実施形態では本発明にかかるクリック機構を第二回転型物（回転体）５０用のクリック機構として用いた例を示したが、第一回転型物７０用のクリック機構として用いてもよい。またスライド式電子部品の摺動型物用のクリック機構として用いてもよい。要は各種電子部品の摺動型物等の移動部材に設けるクリック機構として用いるものであれば、どのような移動部材に適用しても良い。
【００３９】
また上記実施形態ではクリック弾発ユニット４０を固定側の部材に取り付けたが、移動側の部材に取り付けても良い。要はクリック弾発ユニットに対して相対的に移動する移動部材に設けた押圧部によってクリック用押圧部を押圧・押圧解除することでクリック感覚を生じさせるものであればよい。
【００４０】
また図１２に示すように抜け防止機構は、ガイド部材４５の両側部に設けた弾性変形するアーム部４５６，４５６の係止部４５７，４５７を、スライド部材４９に設けた係合部４９８，４９８に係合することで構成してもよい。
【００４１】
【発明の効果】
以上詳細に説明したように本発明によれば以下のような優れた効果を有する。
▲１▼一つのユニットとしてクリック弾発ユニットを構成したので、その他の部品を組み立てる際にクリック弾発ユニット内に収納した弾発手段が飛び出すことなどは無く、組み立てが容易に行なえ、クリック機構の小型・薄型化が容易に図れる。
【００４２】
▲２▼スライド部材とガイド部材と弾発手段とによってクリック弾発ユニットを構成したので、たとえクリック機構を小型・薄型化してもクリック感覚の微妙な調整が容易に行なえ、良好なクリック感覚が得られる。
【図面の簡単な説明】
【図１】本発明にかかる回転式電子部品１の分解斜視図である。
【図２】本発明にかかる回転式電子部品１の分解斜視図である。
【図３】本発明にかかる回転式電子部品１の分解斜視図である。
【図４】クリック弾発ユニット４０を取り付けた第二ケース３５を下側から見た斜視図である。
【図５】第二回転型物５０と第一回転型物７０を下側から見た斜視図である。
【図６】回転式電子部品１の斜視図である。
【図７】回転式電子部品１の概略側断面図（図６のＡ−Ａ概略断面図）である。
【図８】回転式電子部品１の概略側断面図（図６のＢ−Ｂ概略断面図）である。
【図９】クリック機構の動作説明図である。
【図１０】従来のクリック機構を示す概略図である。
【図１１】従来の他のクリック機構を示す概略図である。
【図１２】他のクリック機構を示す概略図である。
【符号の説明】
１  回転式電子部品
１０  基台
２０  基板
２１  スイッチパターン
２３  第一の回転用の摺接パターン（スイッチパターン）
２５  第二の回転用の摺接パターン（スイッチパターン）
３０  可動接点部材
３５  第二ケース（固定側の部材）
４０  クリック弾発ユニット
４１  クリック弾発ユニット収納部
４３  収納部
４５  ガイド部材
４５１  スライド部材挿通部
４５８  端辺（係合部、抜け防止機構）
４６  弾発手段
４７  バネ受け部
４７１  バネ受面
４７３  ガイド部材挿通部
４９  スライド部材
４９１  基部
４９３  クリック用押圧部
４９５  アーム部
４９６  係止部（抜け防止機構）
４９７  ガイド突起
５０  第二回転型物（回転体、移動部材）
５１  本体部
５３  引出部
５５  操作部
５６  押圧部
７０  第一回転型物
１１０  第一ケース
１２０  キートップ
１３０  第一回転つまみ
２００  摺動子
２１０  摺動子
２３０  ロック用部材
２５０  クリック弾接部材
２６０  クリック係合部材
【図１】
0003617490.tif 000002
【図２】
0003617490.tif 000003
【図３】
0003617490.tif 000004
【図４】
0003617490.tif 000005
【図５】
0003617490.tif 000006
【図６】
0003617490.tif 000007
【図７】
0003617490.tif 000008
【図８】
0003617490.tif 000009
【図９】
0003617490.tif 000010
【図１０】
0003617490.tif 000011
【図１１】
0003617490.tif 000012
【図１２】
0003617490.tif 000013